Podtech/llm-jp-corpus-v4-ja_patent huggingface dataset:
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
薬物容器を保持しかつそこから液体薬剤を排出するためのポータブル薬物ホルダーであって、該ポータブル薬物ホルダーは、
チャンバーまたはその一部を形成する第１の壁部を含んでいるハウジングを有し、
該チャンバーを通過する空気流路を有し、
第１の壁部と係合し、かつ、チャンバーと空気流路とがシールされる閉位置と、空気流路が開かれる開位置との間で移動可能な、第２の壁部を有し、
空気流路内の空気中への液体薬剤の蒸発を助ける蒸発手段を有し、
空気流路をユーザーへと向ける薬物排出シュートを有し、
薬物容器を開けて液体薬剤を空気流路内の空気に放出するための開口手段を有し、
吸入空気および吐出空気の一方または両方に一方向性の空気流を提供するための、１つまたはそれ以上の逆止弁を有する、
前記ポータブル薬物ホルダー。
【請求項２】
チャンバー内にまたはチャンバーと流体連絡して位置している薬物容器を含んでいる、請求項１のポータブル薬物ホルダー。
【請求項３】
薬物容器が、バイアル、アンプルボトルまたはキャニスターであり、少なくとも部分的には脆弱である、請求項２のポータブル薬物ホルダー。
【請求項４】
液体薬剤がメトキシフルレンである、請求項３のポータブル薬物ホルダー。
【請求項５】
第２の壁部がカバーまたはスリーブとして形成されている、請求項３のポータブル薬物ホルダー。
【請求項６】
開口手段が、第２の壁部を開位置へ動かすことによって自動的に駆動される、請求項３のポータブル薬物ホルダー。
【請求項７】
開口手段が、薬物容器を開けるよう構成されたストライカーを有する、請求項３のポータブル薬物ホルダー。
【請求項８】
第２の壁部を開位置へスライドすることによって、ストライカーが作動する、請求項７のポータブル薬物ホルダー。
【請求項９】
開口手段が、容器における脆弱なシールを開けるパンチを有する、請求項３のポータブル薬物ホルダー。
【請求項１０】
開口手段が、容器のキャップをつかむ座を有し、該キャップがスクリューキャップであってもよい、請求項３のポータブル薬物ホルダー。
【請求項１１】
開口手段が、液体薬剤を加圧して排出するプランジャーを有する、請求項２のポータブル薬物ホルダー。
【請求項１２】
蒸発手段がウィック材を有する、請求項２のポータブル薬物ホルダー。
【請求項１３】
蒸発手段が蒸発プレートまたは格子を有する、請求項２のポータブル薬物ホルダー。
【請求項１４】
蒸発手段が、蛇行したまたは曲がりくねった経路を空気流路の一部として形成する、請求項２のポータブル薬物ホルダー。
【請求項１５】
開口手段が、薬物容器を開けて液体薬剤を蒸発手段に放出するものである、請求項２のポータブル薬物ホルダー。
【請求項１６】
蒸発手段が、薬物容器の内側にある蒸発面である、請求項２のポータブル薬物ホルダー。
【請求項１７】
蒸発面が、吸収材またはウィックで形成されている、請求項１６のポータブル薬物ホルダー。
【請求項１８】
薬物シュートが格納位置と展開位置との間で回転可能である、請求項１のポータブル薬物ホルダー。
【請求項１９】
薬物シュートが呼吸ガスを運ぶガスラインをさらに含んでいる、請求項１のポータブル薬物ホルダー。
【請求項２０】
薬物シュートが、ユーザーの指による閉鎖に適合している補助的な空気導入口を含んでいる、請求項１のポータブル薬物ホルダー。
【請求項２１】
１つまたはそれ以上の逆止弁が、流入空気流路に、吸気の一方向性の吸入空気流を提供する、請求項１のポータブル薬物ホルダー。
【請求項２２】
１つまたはそれ以上の逆止弁が、吐出空気のための、かつ、薬物シュートと流体連絡さ
れている、流出口逆止弁を含んでいる、請求項２１のポータブル薬物ホルダー。
【請求項２３】
薬物シュートが、吐出空気から薬物を取り除くためのフィルターと流体接続されている、請求項２２のポータブル薬物ホルダー。
【請求項２４】
当該ポータブル薬物ホルダーが、使用していないときは外部環境に対してシールされている、請求項２のポータブル薬物ホルダー。
【請求項２５】
第２の壁部に結合されたストラップを、好ましくはリストストラップを、含んでいる、請求項６のポータブル薬物ホルダー。
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
それによって気化される液状揮発性材料を供給される気化表面上に作用する、強制通風を用いて、香水などの揮発性材料を雰囲気中に散布するように適合された装置であって、前記気化表面（６）は、本質的に平面状であり、かつ前記強制通風の方向と概して平行な方位を有する、前記装置。
【請求項２】
揮発性材料を雰囲気中に散布するように適合された装置であって、以下の要素：
（ａ）出口ポート（２）を介して雰囲気中に空気の流れを水平に送るように構築されているハウジング（１）を装着した、電気駆動ファン（８）；
（ｂ）雰囲気中に気化させるための、揮発性液体のリザーバ（４）であって、本質的に平面状でありかつ本質的に水平の気化表面（６）によって実質的に完全に阻止される上部オリフィスを有し、リザーバとハウジングが協働して、空気の流れが、出口ポートに向かって移動するときに、それが前記気化表面を横切って流れるようにされている、前記リザーバ；および
（ｃ）前記リザーバから前記気化表面へと液体を伝達する手段（７）；
を含む、前記装置。
【請求項３】
雰囲気中に存在が望まれる揮発性液体を該雰囲気中に散布する方法であって、
（ａ）前記雰囲気中に気体の流れを供給すること；
（ｂ）前記流れが表面を横切り、本質的にそれに平行になるように気体の流れと関係する、本質的に平面状の気化表面（６）を配置すること；および
（ｃ）前記気化表面へ、揮発性液体を供給すること；
を含む、前記方法。
【手続補正書】
【提出日】平成19年9月25日(2007.9.25)
【手続補正１】
【補正対象書類名】特許請求の範囲
【補正対象項目名】全文
【補正方法】変更
【補正の内容】
【特許請求の範囲】
【請求項１】
標的ポリヌクレオチドに相補的なポリヌクレオチドの合成方法であって、
a) 耐熱性ポリメラーゼを含む非好熱性細胞を、前記細胞を破壊するのに有効な温度に曝すことによって反応混合物中に耐熱性ポリメラーゼを提供する工程であって、前記反応混合物は、破壊された細胞、耐熱性ポリメラーゼ、標的ポリヌクレオチド、該標的ポリヌクレオチドの配列または標的ポリヌクレオチドの隣に位置する配列にハイブリダイズする１または２以上のプライマー、および、１または２以上のヌクレオチドを含む、前記工程；および
b) 標的ポリヌクレオチドの少なくとも一部に相補的なポリヌクレオチドが耐熱性ポリメラーゼの作用により合成される条件下で、前記反応混合物をインキュベートする工程
を含む、前記方法。
【請求項２】
耐熱性ポリメラーゼをコードする配列が、細胞内で機能するプロモーターに機能可能に連結され、細胞のゲノム内に組み込まれる、請求項１に記載の方法。
【請求項３】
細胞が、耐熱性ポリメラーゼをコードする配列を含むクローニングベクターを含む、請求項１に記載の方法。
【請求項４】
細胞が、標的ポリヌクレオチドを含む、請求項１から３のいずれか１項に記載の方法。
【請求項５】
反応混合物が、工程 b) において合成された相補的ポリヌクレオチドにハイブリダイズする１または２以上のプライマーをさらに含む、請求項１に記載の方法。
【請求項６】
反応混合物が、標的ポリヌクレオチドを含むクローニングベクターを含み、前記クローニングベクターは、リニアライズされている、エピソーマルである、ウィルスベクターにパッケージングされている、またはそれらの組み合わせである、請求項１に記載の方法。
【請求項７】
反応混合物が、標的ポリヌクレオチドを含む第二の非好熱性細胞を含む、請求項１に記載の方法。
【請求項８】
耐熱性ポリメラーゼが、逆転写酵素、RNAポリメラーゼまたはDNAポリメラーゼである、請求項１に記載の方法。
【請求項９】
耐熱性ポリメラーゼが、サーモコッカス・リトラリス、バシラス・ステアロサーモフィラス、パイロコッカス・フリオサス、パイロコッカス・ウォーセイ、サーマス・アクアティカス、サーマス・フィリフォルミス、サーマス・フラバス、サーマス・サーモフィラスまたはサーモトガ・マリチマにおいて天然的に発現されるポリメラーゼまたはその組換え変異体から選択される、請求項１に記載の方法。
【請求項１０】
工程 b) の条件がサーマルサイクリングを含む、請求項１に記載の方法。
【請求項１１】
反応混合物がDNAヘリカーゼをさらに含む、請求項１に記載の方法。
【請求項１２】
細胞が原核細胞である、請求項１に記載の方法。
【請求項１３】
原核細胞が大腸菌である、請求項１２に記載の方法。
【請求項１４】
細胞が哺乳動物細胞または酵母細胞である、請求項１に記載の方法。
【請求項１５】
耐熱性ポリメラーゼが80℃で20秒間安定である、請求項１に記載の方法。
【請求項１６】
耐熱性ポリメラーゼが95℃で3分間安定である、請求項１５に記載の方法。
【請求項１７】
複数の標的ポリヌクレオチドを含む非好熱性細胞の集団を含むゲノミックライブラリー、cDNAライブラリーまたは発現ライブラリーであって、前記集団内の各細胞が、細胞の染色体内に安定に組み込まれた耐熱性ポリメラーゼをコードするポリヌクレオチドを含み、前記耐熱性ポリメラーゼが80℃で20秒間安定である、前記ゲノミックライブラリー、cDNAライブラリーまたは発現ライブラリー。
【請求項１８】
細胞が大腸菌細胞を含む、請求項１７に記載のライブラリー。
【請求項１９】
耐熱性ポリメラーゼが、サーモコッカス・リトラリス、バシラス・ステアロサーモフィラス、パイロコッカス・フリオサス、パイロコッカス・ウォーセイ、サーマス・アクアティカス、サーマス・フィリフォルミス、サーマス・フラバス、サーマス・サーモフィラスおよびサーモトガ・マリチマのポリメラーゼである、請求項１７に記載のライブラリー。
【請求項２０】
耐熱性ポリメラーゼが95℃で3分間安定である、請求項１７に記載のライブラリー。
【請求項２１】
組換え酵素を使用する対立遺伝子交換によって非好熱性細胞の染色体内に安定に組み込まれた耐熱性ポリメラーゼをコードするポリヌクレオチドを含む改変非好熱性細胞であって、前記ポリメラーゼが80℃で20秒間安定である、前記改変非好熱性細胞。
【請求項２２】
ポリヌクレオチドが、耐熱性ポリメラーゼをコードする配列に機能可能に連結された誘導型プロモーターを含む、請求項２１に記載の細胞。
【請求項２３】
大腸菌細胞である、請求項２１に記載の細胞。
【請求項２４】
耐熱性ポリメラーゼが、サーモコッカス・リトラリス、バシラス・ステアロサーモフィラス、パイロコッカス・フリオサス、パイロコッカス・ウォーセイ、サーマス・アクアティカス、サーマス・フィリフォルミス、サーマス・フラバス、サーマス・サーモフィラスおよびサーモトガ・マリチマのポリメラーゼである、請求項２１に記載の細胞。
【請求項２５】
耐熱性ポリメラーゼが95℃で3分間安定である、請求項２１に記載の細胞。
【請求項２６】
コンピテントセルである、請求項２１に記載の細胞。
【請求項２７】
請求項２１に記載の細胞を含む非好熱性細胞の集団および使用のための説明書を含む、請求項１に記載の方法に従ってポリヌクレオチドを合成するためのキット。
【請求項２８】
クローニングベクターを含むポリヌクレオチドをさらに含む、請求項２７に記載のキット。
【請求項２９】
クローニングベクターがマルチクローニング配列を含む、請求項２８に記載のキット。
【請求項３０】
細胞がコンピテントセルである、請求項２７に記載のキット。
【請求項３１】
(i) クローニングベクターにハイブリダイズするプライマー、(ii) 反応バッファー、(iii) デオキシリボヌクレオチド、リボヌクレオチドまたはジデオキシヌクレオチド、(iv) 制限エンドヌクレアーゼ、(v) リガーゼ、(vi) DNAヘリカーゼ、およびそれらの組み合わせより選択される構成物をさらに含む、請求項２７に記載のキット。
【請求項３２】
デオキシリボヌクレオチド、リボヌクレオチドまたはジデオキシヌクレオチドの１または２以上を含み、前記デオキシリボヌクレオチド、リボヌクレオチドまたはジデオキシヌクレオチドの少なくとも１つが検出可能なラベルを含む、請求項３１に記載のキット。
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
70〜120ヌクレオチドの鎖長を有し且つ分子間及び／又は分子内塩基対化を20％未満まで受けている直鎖DNA又はポリヌクレオチド配列から成るカテプシンG-阻害アプタマーであって、前記配列が、
・1.0〜2.0のAG/TCモル比を有すること；又は
・nが35〜60の範囲であるところの(GT)n又は(AC)nオリゴポリマーであること；又は
・nが70〜120の範囲であるところの(T)n又は(G)n又は(A)n又は(C)n又は(イノシン)nオモポリマーであること
によって特徴付けられる、カテプシンG-阻害アプタマー。
【請求項２】
70〜110ヌクレオチドの鎖長を有することによって特徴付けられる、請求項１に記載のカテプシンG-阻害アプタマー。
【請求項３】
80〜100ヌクレオチドの鎖長を有することによって特徴付けられる、請求項１又は２に記載のカテプシンG-阻害アプタマー。
【請求項４】
シングルストランド配列であることによって特徴付けられる、請求項１〜３のいずれか一項に記載のカテプシンG-阻害アプタマー。
【請求項５】
1.2〜1.8のAG/TCモル比を有することによって特徴付けられる、請求項１〜４のいずれか一項に記載のカテプシンG-阻害アプタマー。
【請求項６】
25〜50％のグアニンモル含量を有することによって特徴付けられる、請求項１〜５のいずれか一項に記載のカテプシンG-阻害アプタマー。
【請求項７】
35〜45％のグアニンモル含量を有することによって特徴付けられる、請求項１〜６のいずれか一項に記載のカテプシンG-阻害アプタマー。
【請求項８】
nが40〜50の範囲にあるところの(GT)n又は(AC)nオリゴポリマーであることによって特徴付けられる、請求項１〜４のいずれか一項に記載のカテプシンG-阻害アプタマー。
【請求項９】
nが80〜100の範囲にあるところの(T)n又は(G)n又は(A)n又は(C)n又は(イノシン)nオモポリマーであることによって特徴付けられる、請求項１〜４のいずれか一項に記載のカテプシンG-阻害アプタマー。
【請求項１０】
分子間及び／又は分子内塩基対化を10％未満まで受けていることによって特徴付けられる、請求項１〜９のいずれか一項に記載のカテプシンG-阻害アプタマー。
【請求項１１】
分子間及び／又は分子内塩基対化を5％未満まで受けていることによって特徴付けられる、請求項１０に記載のカテプシンG-阻害アプタマー。
【請求項１２】
炎症発生、凝血促進性状態、遺伝病、変性疾患、DNA損傷、腫瘍形成及び／又は皮膚病の治療及び予防のための医薬品であって、請求項１〜１１のいずれか一項に記載のカテプシンG-阻害アプタマーを含む医薬品。
【請求項１３】
慣用の賦形剤及び／又はアジュバントと一緒に、請求項１〜１１のいずれか一項に記載の少なくとも１つのカテプシンG-阻害アプタマーを含む医薬品組成物。
【手続補正書】
【提出日】平成19年9月18日(2007.9.18)
【手続補正１】
【補正対象書類名】特許請求の範囲
【補正対象項目名】請求項２２
【補正方法】変更
【補正の内容】
【請求項２２】
前記第一の部分が開口空洞を備え、該第二の部分が、前記空洞の開口部を覆っている蓋を備え、前記第一の部分と前記第二の部分は、前記パックを、１つ又は複数の別個の容器内に保管される１つ又は複数の原料で充填した後結合されることが好ましい、食品原料用パックであって、
前記第二の部分が、
液体を添加することができる蓋の一部で、好ましくは再閉鎖可能である、開口部を画成する破り開け折り蓋を画成する切り込み線と、
透明な部分を備える計測装置であって、これを介して、前記パック内に存在する液体の高さを特定し得、前記透明な部分は可視的な目盛を備えることが好ましい、計測装置と
を備え、前記１つ又は複数の容器は、前記空洞内に、前記破り開け折り蓋の開封の結果、これらの容器が破り開けられるように配置される、
請求項１〜２１のいずれか１項に記載の食品原料用パック。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
ポリペプチドコード配列を含む第１の核酸セグメントならびに遺伝子抑制配列を含む第２の核酸セグメントを含む核酸分子であって、宿主細胞における該核酸分子の転写の結果、該ポリヌクレオチドコード配列によりポリペプチドが発現し、同時に該宿主細胞中の第２遺伝子が抑制され、該第１の核酸セグメントおよび該第２の核酸セグメントが、多シストロン性配置にて単一プロモーターに作動可能に連結する該核酸分子。
【請求項２】
該第２の核酸セグメントがｄｓＲＮＡ分子として発現される、請求項１記載の核酸分子。
【請求項３】
該第２の核酸セグメントがｍＲＮＡに対応する少なくとも２１の近接するヌクレオチドを有する請求項２記載の核酸分子。
【請求項４】
該第２の核酸セグメントが、該ｍＲＮＡからのイントロンに対応する少なくとも２１の近接するヌクレオチドを有する、請求項３記載の核酸分子。
【請求項５】
該第２の核酸セグメントが、該ｍＲＮＡからのエキソンに対応する少なくとも２１の近接するヌクレオチドを有する、請求項３記載の核酸分子。
【請求項６】
該第２の核酸セグメントが、該ｍＲＮＡからの３'ＵＴＲに対応する少なくとも２１の近接するヌクレオチドを有する、請求項３記載の核酸分子。
【請求項７】
該第２の核酸セグメントが、該ｍＲＮＡからの５'ＵＴＲに対応する少なくとも２１の近接するヌクレオチドを有する、請求項３記載の核酸分子。
【請求項８】
遺伝子の該抑制が、該宿主細胞に対する内因性遺伝子の抑制である、請求項１記載の核酸分子。
【請求項９】
ポリペプチドコード配列を含む第１の核酸セグメントならびに遺伝子抑制配列を含む第２の核酸セグメントを含む核酸分子であって、宿主細胞中の該核酸分子の転写の結果、該ポリヌクレオチドコード配列によりポリペプチドが発現し、宿主細胞内で遺伝子が抑制され、該第１の核酸セグメントおよび該第２の核酸セグメントが、多シストロン性配置にて単一プロモーターに作動可能に連結し、該第１および該第２の核酸セグメントが異なる遺伝子から得られる該核酸分子。
【請求項１０】
該第２の核酸セグメントがｄｓＲＮＡ分子として発現される、請求項９記載の核酸分子。
【請求項１１】
該第２の核酸セグメントがｍＲＮＡに対応する少なくとも２１の近接するヌクレオチドを有する、請求項１０記載の核酸分子。
【請求項１２】
該第２の核酸セグメントが、該ｍＲＮＡからのイントロンに対応する少なくとも２１の近接するヌクレオチドを有する、請求項１１記載の核酸分子。
【請求項１３】
該第２の核酸セグメントが、該ｍＲＮＡからのエキソンに対応する少なくとも２１の近接するヌクレオチドを有する、請求項１１記載の核酸分子。
【請求項１４】
該第２の核酸セグメントが、該ｍＲＮＡからの３'ＵＴＲに対応する少なくとも２１の近接するヌクレオチドを有する、請求項１１記載の核酸分子。
【請求項１５】
該第２の核酸セグメントが、該ｍＲＮＡからの５'ＵＴＲに対応する少なくとも２１の近接するヌクレオチドを有する、請求項１１記載の核酸分子。
【請求項１６】
遺伝子の該抑制が該宿主細胞に対する内因性遺伝子の抑制である、請求項９記載の核酸分子。
【請求項１７】
その遺伝子中に請求項１の核酸分子を有する植物。
【請求項１８】
その遺伝子中に請求項９の核酸分子を有する植物。
【請求項１９】
該植物のゲノムに請求項１記載の核酸分子を導入することを特徴とする、植物中の１を超えるＲＮＡ分子の発現を同時に改変する方法。
【請求項２０】
該第２の核酸セグメントがｄｓＲＮＡ分子として発現される、請求項１９記載の方法。
【請求項２１】
該第２の核酸セグメントがｍＲＮＡに対応する少なくとも２１の近接するヌクレオチドを有する、請求項２０記載の方法。
【請求項２２】
該第２の核酸セグメントが、該ｍＲＮＡからのイントロンに対応する少なくとも２１の近接するヌクレオチドを有する請求項２１記載の方法。
【請求項２３】
該第２の核酸セグメントが、該ｍＲＮＡからのエキソンに対応する少なくとも２１の近接するヌクレオチドを有する、請求項２１記載の方法。
【請求項２４】
該第２の核酸セグメントが、該ｍＲＮＡからの３'ＵＴＲに対応する少なくとも２１の近接するヌクレオチドを有する、請求項２１記載の方法。
【請求項２５】
該第２の核酸セグメントが、該ｍＲＮＡからの５'ＵＴＲに対応する少なくとも２１の近接するヌクレオチドを有する、請求項２１記載の方法。
【請求項２６】
該１を超えるＲＮＡ分子の少なくとも１つの発現のレベルが、少なくとも部分的に低下することを特徴とする、請求項１９記載の方法。
【請求項２７】
該１を超えるＲＮＡ分子の少なくとも１つの該発現のレベルが、実質的に低下することを特徴とする、請求項２６記載の方法。
【請求項２８】
該１を超えるＲＮＡ分子の少なくとも１つの発現のレベルが有効に消失する、請求項２７記載の方法。
【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
焼成品における使用のための機能性の増量剤であって、
消化しにくい又は消化に対して抵抗性のある少なくとも１種の澱粉加水分解生成物、
少なくとも１種のバルク甘味料、及び
少なくとも１種の乳化剤
を含む、増量剤。
【請求項２】
少なくとも１種の抵抗性の澱粉を更に含む、請求項１に記載の増量剤。
【請求項３】
前記少なくとも１種の乳化剤が変性澱粉である、請求項１又は２に記載の増量剤。
【請求項４】
前記変性澱粉がアルケニル無水琥珀酸変性澱粉及び／又はアルキレン酸化物変性澱粉である、請求項３に記載の増量剤。
【請求項５】
前記変性澱粉がオクテニル無水琥珀酸変性澱粉である、請求項４に記載の増量剤。
【請求項６】
前記変性澱粉が予備糊化されたものである、請求項３に記載の増量剤。
【請求項７】
前記変性澱粉がタピオカベースからのものである、請求項３に記載の増量剤。
【請求項８】
前記変性澱粉が更に転化されたものである、請求項３に記載の増量剤。
【請求項９】
前記少なくとも１種の澱粉加水分解生成物がマルトデキストリンである、請求項１〜８のいずれか一項に記載の増量剤。
【請求項１０】
前記マルトデキストリンが抵抗性のマルトデキストリンである、請求項９に記載の増量剤。
【請求項１１】
前記バルク甘味料が糖アルコールである、請求項１〜１０のいずれか一項に記載の増量剤。
【請求項１２】
前記糖アルコールがソルビトール、マンニトール及びキシリトールからなる群から選択されるものである、請求項１１に記載の増量剤。
【請求項１３】
前記糖アルコールがソルビトールである、請求項１１に記載の増量剤。
【請求項１４】
焼成品における使用のための機能性の増量剤であって、
少なくとも１種の抵抗性のマルトデキストリン、
少なくとも１種のソルビトール、及び
少なくとも１種のオクテニル無水琥珀酸変性澱粉
を含む、増量剤。
【請求項１５】
前記マルトデキストリン：ソルビトール：澱粉の比が４：４：１である、請求項１４に記載の増量剤。
【請求項１６】
消化しにくい又は消化に対して抵抗性のある少なくとも１種の澱粉加水分解生成物、
少なくとも１種のバルク甘味料、及び
少なくとも１種の乳化剤
を含む焼成品であって、減糖の焼成品又は糖を含まない焼成品である、焼成品。
【請求項１７】
少なくとも１種の抵抗性の澱粉を更に含む、請求項１６に記載の焼成品。
【請求項１８】
前記少なくとも１種の乳化剤が変性澱粉である、請求項１６又は１７に記載の焼成品。
【請求項１９】
前記変性澱粉がアルケニル無水琥珀酸変性澱粉及び／又はアルキレン酸化物変性澱粉である、請求項１８に記載の焼成品。
【請求項２０】
前記変性澱粉がオクテニル無水琥珀酸変性澱粉である、請求項１９に記載の焼成品。
【請求項２１】
前記変性澱粉が予備糊化されたものである、請求項１８に記載の焼成品。
【請求項２２】
前記変性澱粉がタピオカベースからのものである、請求項１８に記載の焼成品。
【請求項２３】
前記変性澱粉が更に転化されたものである、請求項１８に記載の焼成品。
【請求項２４】
前記少なくとも１種の澱粉加水分解生成物がマルトデキストリンである、請求項１６〜２３のいずれか一項に記載の焼成品。
【請求項２５】
前記マルトデキストリンが抵抗性のマルトデキストリンである、請求項２４に記載の焼成品。
【請求項２６】
前記バルク甘味料が糖アルコールである、請求項１６〜２５のいずれか一項に記載の焼成品。
【請求項２７】
前記糖アルコールがソルビトール、マンニトール及びキシリトールからなる群から選択されるものである、請求項２６に記載の焼成品。
【請求項２８】
前記糖アルコールがソルビトールである、請求項２６に記載の焼成品。
【請求項２９】
少なくとも１種の抵抗性のマルトデキストリン、
少なくとも１種のソルビトール、及び
少なくとも１種のオクテニル無水琥珀酸変性澱粉
を含む焼成品であって、減糖の焼成品又は糖を含まない焼成品である、焼成品。
【請求項３０】
前記マルトデキストリン：ソルビトール：澱粉の比が４：４：１である、請求項２９に記載の焼成品。
【請求項３１】
少なくとも１種の高強度甘味料を更に含む、請求項１６〜２６のいずれか一項に記載の焼成品。
【請求項３２】
少なくとも１種の高強度甘味料を更に含む、請求項２９又は３０に記載の焼成品。
【請求項３３】
糖の代わりに請求項１〜１３のいずれか一項に記載の増量剤を用いることを含む、焼成品において糖を減少させ又は排除する方法。
【請求項３４】
糖の代わりに請求項１４又は１５に記載の増量剤を用いることを含む、焼成品において糖を減少させ又は排除する方法。
【請求項３５】
糖の代わりに請求項１〜１３のいずれか一項に記載の増量剤及び高強度甘味料を用いることを含む、焼成品において糖を減少させ又は排除する方法。
【請求項３６】
糖の代わりに請求項１４又は１５に記載の増量剤及び高強度甘味料を用いることを含む、焼成品において糖を減少させ又は排除する方法。
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
単離された宿主細胞であって、ビタミンＫエポキシド還元酵素（ＶＫＯＲ）をコードするヘテロ接合型核酸とビタミンＫ依存性タンパク質をコードする核酸とを含み、ＶＫＯＲをコードする核酸とビタミンＫ依存性タンパク質をコードする核酸の両方を発現している宿主細胞。
【請求項２】
ビタミンＫ依存性タンパク質をコードする核酸がヘテロ接合型核酸である、請求項１に記載の宿主細胞。
【請求項３】
宿主細胞が哺乳類細胞である、請求項１に記載の宿主細胞。
【請求項４】
組換えビタミンＫ依存性タンパク質が凝固因子を含む、請求項１に記載の宿主細胞。
【請求項５】
凝固因子が、第ＶＩＩ因子、第ＩＸ因子、第Ｘ因子、プロトロンビン、プロテインＣおよびプロテインＳからなる群から選択される、請求項４に記載の宿主細胞。
【請求項６】
宿主細胞におけるビタミンＫ依存性タンパク質の生産を改善する方法であって、
ａ）ビタミンＫ依存性タンパク質をコードする組換え核酸を宿主細胞に導入するステップと、
ｂ）前記宿主細胞にビタミンＫエポキシド還元酵素（ＶＫＯＲ）をコードする組換え核酸を前記宿主細胞に導入するステップと、
ｃ）ステップ（ａ）と（ｂ）の核酸を発現させるステップと
を含む方法。
【請求項７】
宿主細胞におけるビタミンＫ依存性タンパク質の生産を改善する方法であって、
ａ）ビタミンＫ依存性タンパク質をコードする核酸を発現する単離された宿主細胞を提供するステップと、
ｂ）ビタミンＫエポキシド還元酵素（ＶＫＯＲ）をコードする組換え核酸を前記宿主細胞に導入するステップと、
ｃ）ステップ（ａ）と（ｂ）の核酸を発現させるステップと
を含む方法。
【請求項８】
宿主細胞におけるビタミンＫ依存性タンパク質の生産を改善する方法であって、
ａ）ビタミンＫエポキシド還元酵素（ＶＫＯＲ）をコードするヘテロ接合型核酸を発現する単離された宿主細胞を提供するステップと、
ｂ）ビタミンＫ依存性タンパク質をコードする組換え核酸を前記宿主細胞に導入するステップと、
ｃ）ステップ（ａ）と（ｂ）の核酸を発現させるステップと
を含む方法。
【請求項９】
請求項６〜８のいずれか一に記載の方法によって得られる、ビタミンＫ依存性タンパク質。
【手続補正書】
【提出日】平成19年4月11日(2007.4.11)
【手続補正１】
【補正対象書類名】特許請求の範囲
【補正対象項目名】請求項１
【補正方法】変更
【補正の内容】
【請求項１】
ロータリピストンポンプの焼結金属製のロータ、特に真空ポンプ吸込み接続部に接続可能な自動車の負圧式ブレーキブースタの負圧を生ぜしめるロータリピストンポンプの焼結金属製のロータであって、ポット形のベース体（１）と、該ベース体（１）の底部中央から突出しているジャーナルエレメントとが設けられていて、該ジャーナルエレメントが、底部から直接延びている円筒形の足領域と、該足領域に接続していて連結エレメントを取り付けるために働く接続爪区分（２）とから成っており、該接続爪区分（２）が、突出した２つのシングルウェブ（３）の形で形成されており、両シングルウェブ（３）が直径方向で間隔をおいて円筒形の足区分の外周領域においてそれぞれ次のような領域に位置しており、すなわち該領域が円筒形の足区分の周方向において最大１００°に、かつ半径方向において円筒形の足区分の直径の最大２５％に制限されている形式のものにおいて、
ロータが一体的にプレス焼結されて構成されており、シングルウェブ（３）が、当該領域において要求される材料安定性のために十分に高く圧縮されていることを特徴とする、ロータリピストンポンプの焼結金属製のロータ。
【手続補正２】
【補正対象書類名】明細書
【補正対象項目名】０００１
【補正方法】変更
【補正の内容】
【０００１】
本発明は、請求項１の上位概念部に規制された形式の、ロータリピストンポンプの燒結金属製のロータ、及び該ロータを製造する方法に関する。
ドイツ連邦共和国特許公開第４０２００８２号明細書に基づいて公知のこのような形式のロータは、別個に製造された３つの個別部分、すなわち２つの外側シェルと、両外側シェルの間に位置している１つの中央部分とから成っている。この場合中央部分は、外側シェルの材料に比べて強度の高い材料から成っている。このような形式の接続爪・シングルウェブは中央部分に設けられている。
【手続補正書】
【提出日】平成19年4月19日(2007.4.19)
【手続補正１】
【補正対象書類名】特許請求の範囲
【補正対象項目名】全文
【補正方法】変更
【補正の内容】
【特許請求の範囲】
【請求項１】
殊に自動車の内燃機関の燃料タンクから発生する蒸発燃料のための吸着フィルタであって、該吸着フィルタが逆流離脱によって再生可能であって、吸着若しくは離脱性のフィルタ材料が、相変化材料（ＰＣＭ材料＝Ｐｈａｓｅ−Ｃｈａｎｇｅ−Ｍａｔｅｒｉａｌ）より成る蓄熱物質を有している形式のものにおいて、
前記相変化材料（７′、７″）が、反応性のフィルタ材料内で複数の小さいユニット内に分配されていて、吸着フィルタの貫流方向で、温度に関連して種々異なる相変化限界を有していることを特徴とする、吸着フィルタ。
【請求項２】
フィルタの吸着機能において相変化限界の温度値が下流側で上昇するようになっている、請求項１記載の吸着フィルタ。
【請求項３】
温度に関連して種々異なる高さの相変化限界を有するＰＣＭ材料を備えた少なくとも２つのフィルタ領域が下流側に設けられている、請求項１又は２記載の吸着フィルタ。
【請求項４】
吸着フィルタの下流側に位置する端部領域に、種々異なる相変化温度を有する相変化材料が設けられている、請求項１から３までのいずれか１項記載の吸着フィルタ。
【手続補正２】
【補正対象書類名】明細書
【補正対象項目名】０００２
【補正方法】変更
【補正の内容】
【０００２】
このような吸着フィルタはアメリカ合衆国特許第５８６１０５０号明細書により公知である。これと同様の構成のフィルタは、アメリカ合衆国特許公告第２００２／０１７４８５７号明細書、アメリカ合衆国特許公告第２００１／００２０４１８号明細書、ヨーロッパ特許公開第１１１３１６３号明細書、特開昭６３−２４６４６２号公報並びに特開平１０−３３９２１８号公報に開示されている。
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
エチレン、プロピレン、及び１−ブテンから選択される少なくとも一種のオレフィンモノマーを、ループ型反応器中で、２０〜１５０℃の温度範囲であるが、形成されるポリマーの融点よりも低い温度で、５〜１００バールの圧力で重合させる方法であって、形成されるポリマーが液体又は超臨界懸濁媒体中で懸濁状態で存在ししかもこの懸濁液が軸流ポンプにより循環されており、ここで、連続製造物排出の場合、反応器中で５３重量％（反応器の内容物の総質量を基準）を超える平均固形物濃度で重合反応を行い、不連続製造物排出の場合、反応器中で４３重量％（反応器の内容物の総質量を基準）を超える平均固形物濃度で重合反応を行い、ここで、少なくとも１０モル％のエチレン濃度（懸濁媒体を基準）で重合反応を行い、４３〜８０バールの圧力で重合反応を行う、前記オレフィンモノマーの重合方法。
【請求項２】
ループ型反応器が、主要反応管の直径を基準に少なくとも１０％まで直径が変化する循環反応管を含み、当該反応管中において軸流ポンプ以外の領域で少なくとも一カ所の拡張領域と少なくとも一カ所の縮小領域がある、請求項１に記載の方法。
【請求項３】
軸流ポンプの領域中で反応管の拡張箇所と縮小箇所が更にある、請求項１又は２に記載の方法。
【請求項４】
モノマーとしてエチレンを使用し、コモノマーとして３〜８個の炭素原子を有する少なくとも一種のα−オレフィンを使用する、請求項１〜３のいずれかに記載の方法。
【請求項５】
反応管に沿って少なくとも２点で少なくとも一種のオレフィンモノマーを供給する、請求項１〜４のいずれかに記載の方法。
【請求項６】
形成されたポリマーが反応器から連続的に排出される、請求項１〜５のいずれかに記載の方法。
【請求項７】
ループ型反応器中での重合反応の前に又はその後に、別のループ型反応器又はガス相反応器中で少なくとも一回の別の重合工程を行う、請求項１〜６のいずれかに記載のループ型反応器中の少なくとも一種のオレフィンモノマーの重合方法。
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
(i) 明細書中に示された水銀法で測定されたときに、0.25 cm3/gより高い多孔度を有するMg、Tiおよびハロゲン含有固形触媒成分の存在下に、触媒成分のg当り0.1〜15 gのプロピレンプレ-ポリマーを製造するまで、プロピレンを予備重合すること；および
(ii) 工程(i)で得られるプロピレンプレ-ポリマーの存在下に、プロピレンプレ-ポリマーのg当り10 g〜2.5 kgの範囲のエチレンポリマーの量まで、エチレンを重合すること；
を含む、多孔性エチレンポリマーの製造方法。
【請求項２】
生成するプロピレンプレ-ポリマーの量が、触媒成分のg当り0.3〜10 gであるような条件下に、工程(i)が行われる、請求項1に記載の方法。
【請求項３】
工程(ii)において、エチレンポリマーの量がプロピレンプレ-ポリマーのg当り1 kgよりも少ない、請求項1に記載の方法。
【請求項４】
明細書中に示された方法で測定されたときに、10μmまでの半径をもった孔による全多孔度が、空隙の百分率で表されたときに、40%よりも高い多孔度を有するエチレンポリマー。
【手続補正２】
【補正対象書類名】明細書
【補正対象項目名】００１８
【補正方法】変更
【補正の内容】
【００１８】
そのようにして得られる付加物は、Ti化合物と反応させるより前に、アルコールのモル数が一般的に3より小さく、好ましくは0.1〜2.5の間にある付加物を得るように、前もって熱的に制御された脱アルコール反応（80〜130℃）に付される。Ti化合物との反応は、例えば、脱アルコールされた付加物を冷TiCl4（一般的に0℃）中に懸濁させることにより行われる。この混合物を80〜130℃まで加熱し、この温度で0.5〜2時間保つ。TiCl4との処理は、1回以上行われる。
【手続補正３】
【補正対象書類名】明細書
【補正対象項目名】００５０
【補正方法】変更
【補正の内容】
【００５０】
置換基Ra1は互いに同一または異なって、水素、元素周期律表の13〜17族に属する1以上の原子（例えば、B、Al、Si、Ge、N、P、O、S、FおよびCl原子のような）を任意に含んでいてもよい、直鎖もしくは分枝の、飽和もしくは不飽和のC1-C20アルキル、C3-C20シクロアルキル、C6-C20アリール、C7-C20アルキルアリールもしくはC7-C20アリールアルキル基であるか；
または同一の原子E1またはE2に結合する2つのRal置換基は、4〜20の炭素原子を有する、飽和、不飽和もしくは芳香族のC4-C7環を形成し；
【手続補正４】
【補正対象書類名】明細書
【補正対象項目名】００５７
【補正方法】変更
【補正の内容】
【００５７】
本発明の使用に適したアルモキサンの例は、メチルアルモキサン(MAO)、テトラ-(イソブチル)アルモキサン(TIBAO)、テトラ-(2,4,4-トリメチル-ペンチル)アルモキサン(TIOAO)、テトラ-(2,3-ジメチルブチル)アルモキサン(TDMBAO)およびテトラ-(2,3,3-トリメチルブチル)アルモキサン(TTMBAO)である。
【手続補正５】
【補正対象書類名】明細書
【補正対象項目名】００７６
【補正方法】変更
【補正の内容】
【００７６】
次いで、無水ヘキサン31リッター添加後、ヘキサン中のトリス(2,4,4-トリメチル-ペンチル)アルミニウム(Tioa)の溶液(100 g/l)11リッターを、反応器に室温で導入し、30分間撹拌した。液相を沈殿した固体から分離し、室温で、ヘキサン22リッターおよびヘプタン22リッター(互いに2回)で洗浄した。
【手続補正６】
【補正対象書類名】明細書
【補正対象項目名】００９０
【補正方法】変更
【補正の内容】
【００９０】
標準プロピレン重合試験
上記の触媒成分が、既に記載された一般的方法によるプロピレンの重合において使用された。81％のキシレン不溶性を有するプロピレンホモポリマーが得られた。
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
モダフィニル（ｍｏｄａｆｉｎｉｌ）、抗腫瘍薬および製薬学的に許容可能な担体を含んでなる製薬学的組成物。
【請求項２】
モダフィニルがモダフィニルの実質的に純粋なエナンチオマーである請求項１の組成物。
【請求項３】
モダフィニル対抗腫瘍薬の重量比が１：１〜１０：１である請求項１または２に記載の組成物。
【請求項４】
モダフィニル対抗腫瘍薬の重量比が１：１〜５：１である請求項３の組成物。
【請求項５】
抗腫瘍薬がタキソール（ｔａｘｏｌ）、ドセタキセル（ｄｏｃｅｔａｘｅｌ）、シスプラチナム（ｃｉｓｐｌａｔｉｎｕｍ）、およびビンクリスチン（ｖｉｎｃｒｉｓｔｉｎｅ）よりなる群から選択される請求項１または２の組成物。
【請求項６】
抗腫瘍薬の量が５、１０、１５、２０、３０、４０、５０、６０、７０、８０、９０、１００、２００、３００または４００ｍｇの抗腫瘍薬を含む請求項１または２の組成物。
【請求項７】
モダフィニルの量が５、１０、１５、２０、３０、４０、５０、６０、７０、７５、８０、９０、１００、２００、３００または４００ｍｇのモダフィニルを含む請求項１または２の組成物。
【請求項８】
エナンチオマーがモダフィニルのＲ−異性体である請求項２の組成物。
【請求項９】
抗腫瘍薬治療に伴う有害な徴候を軽減するための薬剤の製造におけるモダフィニルの使用。
【請求項１０】
有害な徴候が疲労である請求項９の使用。
【請求項１１】
抗腫瘍薬がタキソール、ドセタキセル、シスプラチナム、およびビンクリスチンよりなる群から選択される請求項９または１０の使用。
【請求項１２】
モダフィニルの量が５、１０、１５、２０、３０、４０、５０、６０、７０、７５、８０、９０、１００、２００、３００または４００ｍｇのモダフィニルを含む請求項９または１０の使用。
【請求項１３】
抗腫瘍薬治療の停止に伴う有害な徴候を処置するための薬剤の製造におけるモダフィニルの使用。
【請求項１４】
有害な徴候が疲労である請求項１３の使用。
【請求項１５】
モダフィニルがモダフィニルのＲ−異性体である請求項９または１０の使用。
【請求項１６】
モダフィニルがモダフィニルのＲ−異性体である請求項１３または１４の使用。
【請求項１７】
抗腫瘍薬がタキソール、ドセタキセル、シスプラチナム、およびビンクリスチンよりなる群から選択される請求項１３または１４の使用。
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
下式、
R1O-C6H3OH-SR
（式中、Rは、直鎖又は分岐鎖の、飽和又は不飽和のヒドロカルビル基であり、そして
R1は、直鎖又は分岐鎖の、飽和又は不飽和のヒドロカルビル基である。）で示されるアロマ化学アルコキシアルキルスルファニル化合物又はその化合物の混合物。
【請求項２】
改良されたアロマ、芳香又は香り特性を有し、活性成分として請求項１に記載の化合物又はその混合物を含む組成物、製品、調製物又は物品。
【請求項３】
改良された風味又は味特性を有し、活性成分として請求項１に記載の化合物又はその混合物を含む組成物、製品、調製物又は物品。
【請求項４】
組成物、製品、調製物又は物品の味又は風味特性を授与し、改良し、高め又は改質する方法であって、前記物品に香味有効量の請求項１に記載の化合物又はその混合物を添加する工程を含むことを特徴とする方法。
【請求項５】
組成物、製品、調製物又は物品のアロマ、芳香又は香りの特性を授与し、改良し、高め又は改質する方法であって、前記物品にアロマ、芳香又は香りの有効量の請求項１に記載の化合物又はその混合物を添加する工程を含むことを特徴とする方法。
【請求項６】
包装材料及び前記包装材料内に含まれるアロマ、香り、芳香、味又は風味高揚剤を含有する物品であって、前記高揚剤が、それが加えられている組成物、調製物、製品又は物品のアロマ、香り、芳香、味又は風味の増加に有効であり、また前記包装材料が、前記高揚剤が、アロマ、香り、芳香、味又は風味を増加させるために使用され得ることを示すラベルを含み、また前記高揚剤が、請求項１に記載の化合物又はその混合物であることを特徴とする物品。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
ラテックス組成物とアロイさせたポリウレタン水性分散物を含む配合物であって、アロイしたというのは密接に混合したことを意味し、配合物から作製されたフィルムが２５℃において３．５×１０−５ｃｍ３ｃｍ／ｍ２時間Ｐａ以下の空気透過性を有し、前記空気透過性が
【数１】
2007506848.tif 000001
で算出され、測定中、５０ｐｓｉｇの圧力差が維持されることを特徴とする配合物。
【請求項２】
不飽和部位を含むポリウレタンポリマーを含むことを特徴とするポリウレタン水性分散物（ＰＵＤ）の組成物。
【手続補正２】
【補正対象書類名】明細書
【補正対象項目名】００５２
【補正方法】変更
【補正の内容】
【００５２】
【表１】
2007506848.tif 000002
本出願は、特許請求の範囲の欄に記載した発明を含め、以下の発明を包含する。
（１）  ラテックス組成物とアロイさせたポリウレタン水性分散物を含む配合物であって、アロイしたというのは密接に混合したことを意味し、配合物から作製されたフィルムが２５℃において３．５×１０−５ｃｍ３ｃｍ／ｍ２時間Ｐａ以下の空気透過性を有し、前記空気透過性が
【数１】
2007506848.tif 000003
で算出され、測定中、５０ｐｓｉｇの圧力差が維持されることを特徴とする配合物。
（２）  前記ポリウレタン分散物がポリエーテルグリコールから誘導されることを特徴とする（１）に記載の配合物。
（３）  前記ポリウレタン分散物がポリエステルグリコールから誘導されることを特徴とする（１）に記載の配合物。
（４）  前記ポリエーテルグリコールが、ポリテトラメチレングリコール、ポリプロピレングリコール、ポリエチレングリコール、ポリエチレン−ポリテトラメチレンコポリマーグリコール、ポリエチレン−ポリプロピレンコポリマーグリコールから誘導されることを特徴とする（２）に記載の配合物。
（５）  前記ポリエステルグリコールが、１つまたは複数の二官能性カルボン酸化合物および１つまたは複数の二官能性ヒドロキシル化合物から誘導されることを特徴とする（３）に記載の配合物。
（６）  前記ポリウレタン分散物がアニオン性基、カチオン性基、またはビニル基を含むことを特徴とする（１）に記載の配合物。
（７）  前記ラテックス組成物が、ポリイソプレン、ポリブタジエン、およびポリイソプレンとポリブタジエンのブレンドからなる群から選択されることを特徴とする（１）に記載の配合物。
（８）  前記ラテックス組成物がポリイソプレンであることを特徴とする（７）に記載の配合物。
（９）  前記ポリイソプレンが天然または合成であることを特徴とする（８）に記載の配合物。
（１０）  少なくとも１０重量％のポリウレタン（乾燥重量基準）を含むことを特徴とする（１）に記載の配合物。
（１１）  少なくとも４０重量％のポリウレタン（乾燥重量基準）を含むことを特徴とする（１）に記載の配合物。
（１２）  前記ラテックス組成物がエラストマーポリマーであることを特徴とする（１）に記載の配合物。
（１３）  前記エラストマーポリマーが、スチレン−ブタジエン、スチレン−イソプレン、およびポリアクリレートからなる群から選択されることを特徴とする（１２）に記載の配合物。
（１４）  前記ポリウレタンがポリブチレンアジペートから誘導されることを特徴とする（１）に記載の配合物。
（１５）  （１）〜（１４）のいずれかの一に記載の配合物から作製されたフィルムを含むことを特徴とする気体含有物品。
（１６）  （１２）に記載の配合物から作製されたフィルムを含む気体含有物品であって、この物品が、膨らませることができるボール、およびインナーチューブからなる群から選択されることを特徴とする気体含有物品。
（１７）  （１３）に記載の配合物から作製されたフィルムを含む気体含有物品であって、前記インナーチューブが自転車用インナーチューブであることを特徴とする気体含有物品。
（１８）  ゴムラテックスとアロイさせたポリウレタン分散物の配合物から作製されたフィルムを含む空気袋を含むサッカーボールであって、前記配合物が、２５℃において３．５×１０−５ｃｍ３−ｃｍ／ｍ２−時間−Ｐａ以下の空気透過性を有し、前記空気透過性が、（１）に記載の方法に従って測定されることを特徴とするサッカーボール。
（１９）  （１５）に記載の配合物から作製されたフィルムを含むサッカーボールであって、ポリウレタン分散物がポリテトラメチレンエーテルグリコールから誘導されることを特徴とするサッカーボール。
（２０）  （１５）に記載の配合物から作製されたフィルムを含むサッカーボールであって、前記ポリウレタンが少なくとも１０％（乾燥重量基準）の前記配合物を含むことを特徴とするサッカーボール。
（２１）  （１５）に記載の配合物から作製されたフィルムを含むサッカーボールであって、前記ポリウレタンが少なくとも４０％（乾燥重量基準）の前記配合物を含むことを特徴とするサッカーボール。
（２２）  ラテックス組成物とアロイさせたエチレン／テトラヒドロフランコポリマーの水性分散物を含む配合物であって、前記配合物から作製されたフィルムが、２５℃において３．５×１０−５ｃｍ３−ｃｍ／ｍ２−時間−Ｐａ以下の空気透過性を有し、前記空気透過性が（１）に記載の方法に従って測定されることを特徴とする配合物。
（２３）  （２２）に記載の配合物から作製されたフィルムを含むことを特徴とする気体含有物品。
（２４）  前記物品が、膨らませることができるボール、およびインナーチューブからなる群から選択されることを特徴とする（２３）に記載の気体含有物品。
（２５）  前記インナーチューブが自転車用インナーチューブであることを特徴とする（２４）に記載の気体含有物品。
（２６）  ゴムラテックスとアロイさせたエチレン／テトラヒドロフランコポリマーの水性分散物を含む配合物から作製されたフィルムから作製された空気袋を含むサッカーボールであって、前記フィルムが、２５℃において３．５×１０−５ｃｍ３−ｃｍ／ｍ２−時間−Ｐａ以下の空気透過性を有し、前記空気透過性が（１）に記載の方法に従って測定されることを特徴とするサッカーボール。
（２７）  （１）〜（１４）のいずれかの一に記載の配合物から作製されたフィルムを含む気体含有物品であって、前記フィルムが、撹拌された溶液に平板を浸漬し、続いて硬化フィルムを浸出し、オーブン中で乾燥させることによって作製されることを特徴とする気体含有物品。
（２８）  不飽和部位を含むポリウレタンポリマーを含むことを特徴とするポリウレタン水性分散物（ＰＵＤ）の組成物。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
親水性の架橋可能なオリゴマー組成物であって、
ａ）ラジカル重合可能な官能側基を有する、重合された複数のモノマー単位、および、親水性ポリ（アルキレンオキシド）側基を有する、重合された複数のモノマー単位を含む第１成分オリゴマー、並びに
ｂ）ラジカル重合可能な官能側基を有する、重合された複数のモノマー単位を含む第２成分オリゴマー
を含む組成物。
【請求項２】
前記組成物は、２重量％未満の残留分を含有する、請求項１に記載の組成物。
【請求項３】
前記オリゴマーａ）およびｂ）は、３００未満の平均重合度を有する、請求項１に記載の組成物。
【請求項４】
前記第１成分オリゴマーの前記ポリアルキレンオキシド側基は、式：
−（ＣＨ（Ｒ1）−ＣＨ2−Ｏ）m−Ｒ2
（式中、Ｒ1はＨまたはＣ1〜Ｃ4アルキル基であり、Ｒ2はＨ、Ｃ1〜Ｃ4アルキル基、アリール、またはこれらの組み合わせであり、ｍは２〜１００である）
で示される、請求項１に記載の組成物。
【請求項５】
前記第１及び／又は第２成分オリゴマーは、光重合開始側基を有する、重合された複数のモノマー単位をさらに含む、請求項１に記載の組成物。
【請求項６】
（ｃ）高分子光重合開始剤をさらに含む、請求項１に記載の組成物。
【請求項７】
前記第１及び／又は第２成分オリゴマーは
（ａ）ポリ（アルキレンオキシド）側基を有するエチレン性不飽和モノマーから誘導された２０〜９９重量部の重合されたモノマー単位、
（ｂ）重合可能な官能側基を有するエチレン性不飽和モノマーから誘導された０．１〜３５重量部の重合されたモノマー単位、
（ｃ）極性モノマーから誘導された０〜５０重量部の重合されたモノマー単位、
（ｄ）疎水性モノマーから誘導された０〜２０重量部の重合されたモノマー単位、
（ｅ）０〜１０重量部の少なくとも１つの他のモノマー
を含む、請求項１に記載の組成物。
【請求項８】
少なくとも１つの面に架橋ポリマー組成物のコーティングを有する基材を作製する方法であって、
（ａ）前記基材上に請求項１〜７のいずれか一項に記載のオリゴマー組成物をコーティングする工程、
（ｂ）光重合開始剤の存在下、前記第１成分オリゴマーおよび前記第２成分オリゴマーの前記ラジカル重合可能な官能側基の間で共有結合を形成することによって、前記第１成分オリゴマーおよび第２成分オリゴマーを光化学的に架橋する工程
を含む方法。
【請求項９】
前記オリゴマー組成物が、
（ａ）前記第１成分１００重量部当たり、第１成分オリゴマー１分子鎖当たり２個を超える数の架橋を形成するのに十分な量の前記第２成分、
（ｂ）２重量部未満の残留分、および
（ｃ）０．０１〜約５．０重量部の光重合開始剤
を含む、請求項８に記載の方法。
【請求項１０】
透過性表面層、
周辺部で前記表面層に接合されているバッキング層、および
バッキング層および表面層の間に配置された親水性ゲル吸収層であり、請求項１〜７のいずれか一項に記載の組成物を架橋した親水性ゲル吸収層を含む、親水性ゲル吸収層
を含む、吸収性ドレッシング。